(57)【要約】【課題】基板と基板を貫通する外部端子とを接続するコネクタにおいて基板に設置された状態での基板からの高さを低くすることができるコネクタを提供する。【解決手段】コネクタ端子部１２は、基板１００と外部端子１０１とに接続される。ハウジング部１１は、コネクタ端子部１２を保持する。コネクタ端子部１２は、ハウジング部１１に挿入される外部端子１０１に接触して接続される接点部３８と、接点部３８を含むとともに弾性変形して撓んだ状態で外部端子１０１に接触することが可能に構成された接点バネ部３７と、接点バネ部３７を片持ち状態で支持する本体部３３と、を有する。接点バネ部３７は、本体部３３から、外部端子１０１がハウジング部１１へ挿入される方向である外部端子挿入方向に垂直な面に沿って、片持ち状に延びるように設けられている。【選択図】        図２３
2019021542.tif 000002
【特許請求の範囲】
【請求項１】
基板と当該基板を貫通する外部端子とを接続するコネクタであって、
前記基板と前記外部端子とに接続されるコネクタ端子部と、前記コネクタ端子部を保持するハウジング部と、を備え、
前記コネクタ端子部は、前記ハウジング部に挿入される前記外部端子に接触して接続される接点部と、前記接点部を含むとともに弾性変形して撓んだ状態で前記外部端子に接触することが可能に構成された接点バネ部と、前記接点バネ部を片持ち状態で支持する本体部と、を有し、
前記接点バネ部は、前記本体部から、前記外部端子が前記ハウジング部へ挿入される方向である外部端子挿入方向に垂直な面に沿って又は前記外部端子挿入方向に斜めの面に沿って、片持ち状に延びるように設けられていることを特徴とする、コネクタ。
【請求項２】
請求項１に記載のコネクタであって、
前記接点バネ部に接触した状態で当該接点バネ部に対してスライド移動しながら相対変位可能に前記ハウジング部に保持されたスライド部材を更に備え、
前記スライド部材は、前記外部端子挿入方向に垂直な面に沿って、前記接点バネ部に対してスライド移動することで、前記接点バネ部を前記外部端子に向かって押し付けるように撓ませるように構成されていることを特徴とする、コネクタ。
【請求項３】
請求項２に記載のコネクタであって、
複数の前記コネクタ端子部と、複数の前記スライド部材とを備え、
前記ハウジング部は、複数の前記コネクタ端子部を保持するベースハウジングと、複数の前記スライド部材を保持するスライドハウジングと、を有し、
前記スライドハウジングは、前記ベースハウジングに対して、前記外部端子挿入方向に垂直な面に沿って、スライド移動可能に支持されていることを特徴とする、コネクタ。
【請求項４】
請求項２又は請求項３に記載のコネクタであって、
前記接点バネ部は、前記外部端子挿入方向に垂直な面に沿って又は前記外部端子挿入方向に斜めの面に沿って屈曲して延びる屈曲部を有し、
前記接点部は、前記本体部から片持ち状に延びる前記接点バネ部において、前記屈曲部よりも根本側に設けられ、
前記スライド部材は、前記本体部から片持ち状に延びる前記接点バネ部に対して、前記屈曲部よりも先端側で接触することを特徴とする、コネクタ。
【請求項５】
請求項４に記載のコネクタであって、
前記スライド部材は、前記本体部から片持ち状に延びる前記接点バネ部に対して、前記屈曲部から先端側に向かう方向に沿ってスライド移動することで、前記接点バネ部を前記外部端子に向かって押し付けるように撓ませるように構成されていることを特徴とする、コネクタ。
【発明の詳細な説明】
【技術分野】
【０００１】
本発明は、基板に設置されて基板と基板を貫通する外部端子とを接続するコネクタに関する。
【背景技術】
【０００２】
従来より、基板と基板を貫通する外部端子とを接続する際には、コネクタが用いられている。このようなコネクタとして、例えば、特許文献１に開示されたものが知られている。
【０００３】
特許文献１に開示されたコネクタは、基板（基板１１０）を挟んで互いに反対側に配置される第１コネクタ３及び第２コネクタ２のうちの一方のコネクタである第２コネクタ２として構成されている。そして、特許文献１のコネクタには、基板を貫通した状態で外部端子（コンタクト１３０）が接続される。また、特許文献１のコネクタは、基板を貫通した外部端子と電気的に接続される端子（雌コンタクト４０）と、この端子を保持するハウジング（雌ハウジング３０）とを備えている。
【０００４】
特許文献１のコネクタの端子（雌コンタクト４０）は、基板を貫通した外部端子に接触して接続される接点部と、基板に対して垂直な上下方向に沿って延びるとともに接点部を含む部分を有する板バネ状のバネ部（曲折部４２）と、を有している。バネ部（曲折部４２）は、より具体的には、下方に向かって凸状に湾曲した下湾曲部６１と、下湾曲部６１から上方向に延在した直線部６２と、直線部６２から凸状に突出した突出部６３とを有している。外部端子は、基板に対して垂直な上下方向に沿ってハウジング（雌ハウジング３０）に挿入される。そして、ハウジング（雌ハウジング３０）に挿入された外部端子は、端子（雌コンタクト４０）に対しては、基板に対して垂直な上下方向に沿って延びる直線部６２にて接触して接続される。
【先行技術文献】
【特許文献】
【０００５】
【特許文献１】特開２０１４−１５４４５２号公報
【発明の概要】
【発明が解決しようとする課題】
【０００６】
特許文献１に開示された構成によると、外部端子は、基板に対して垂直な上下方向に沿ってハウジング（雌ハウジング３０）に挿入される。そして、ハウジング（雌ハウジング３０）に挿入された外部端子は、端子（雌コンタクト４０）に対しては、基板に対して垂直な上下方向に沿って延びる板バネ状の直線部６２にて接触して接続される。
【０００７】
上記のように、特許文献１に開示されたコネクタは、外部端子に接続される端子（雌コンタクト４０）が、外部端子がハウジング（雌ハウジング３０）に挿入される方向に沿って延びるように設けられている。このため、端子（雌コンタクト４０）の高さが大きくなり、端子（雌コンタクト４０）を保持するハウジング（雌ハウジング３０）の基板からの高さも大きくなる。よって、特許文献１に開示されたコネクタによると、基板に設置された状態での基板からの高さが高くなってしまうという問題がある。
【０００８】
本発明は、上記実情に鑑みることにより、基板に設置されて基板と基板を貫通する外部端子とを接続するコネクタにおいて基板に設置された状態での基板からの高さを低くすることができるコネクタを提供することを目的とする。
【課題を解決するための手段】
【０００９】
（１）上記目的を達成するための本発明のある局面に係るコネクタは、基板と外部端子とを接続するコネクタであって、前記基板と前記外部端子とに接続されるコネクタ端子部と、前記コネクタ端子部を保持するハウジング部と、を備え、前記コネクタ端子部は、前記ハウジング部に挿入される前記外部端子に接触して接続される接点部と、前記接点部を含むとともに弾性変形して撓んだ状態で前記外部端子に接触することが可能に構成された接点バネ部と、前記接点バネ部を片持ち状態で支持する本体部と、を有し、前記接点バネ部は、前記本体部から、前記外部端子が前記ハウジング部へ挿入される方向である外部端子挿入方向に垂直な面に沿って又は前記外部端子挿入方向に斜めの面に沿って、片持ち状に延びるように設けられている。
【００１０】
この構成のコネクタによると、コネクタ端子部の接点バネ部は、外部端子が基板を貫通してハウジング部へ挿入される方向である外部端子挿入方向に垂直な面に沿って又は外部端子挿入方向に斜めの面に沿って、片持ち状に延びるように設けられている。このため、コネクタ端子部の接点バネ部が、外部端子挿入方向に沿って外部端子挿入方向と平行に片持ち状に延びる構造となることがない。
【００１１】
上記の構成により、外部端子が基板を貫通してハウジング部へ挿入される方向である外部端子挿入方向に沿った方向におけるコネクタ端子部の寸法を小さくすることができ、コネクタ端子部の高さを低くすることができる。そして、コネクタ端子部の高さを低くすることができため、コネクタ端子部を保持するハウジング部の高さも低くすることができる。これにより、基板に設置された状態でのコネクタの基板からの高さを低くすることができる。
【００１２】
従って、上記の構成によると、基板に設置されて基板と基板を貫通する外部端子とを接続するコネクタにおいて基板に設置された状態での基板からの高さを低くすることができる。
【００１３】
（２）前記コネクタは、前記接点バネ部に接触した状態で当該接点バネ部に対してスライド移動しながら相対変位可能に前記ハウジング部に保持されたスライド部材を更に備え、前記スライド部材は、前記外部端子挿入方向に垂直な面に沿って、前記接点バネ部に対してスライド移動することで、前記接点バネ部を前記外部端子に向かって押し付けるように撓ませるように構成されていてもよい。
【００１４】
この構成によると、スライド部材が接点バネ部に接触した状態で接点バネ部に対してスライド移動することで、接点バネ部が外部端子に向かって押し付けられるように撓む。このため、スライド部材のスライド移動動作によって、容易に、コネクタ端子部と外部端子との十分な接触圧力を確保することができる。
【００１５】
そして、上記の構成によると、スライド部材は、外部端子挿入方向に垂直な面に沿って、接点バネ部に対してスライド移動するように設けられている。このため、コネクタ端子部と外部端子との接触圧力の確保のためにスライド部材をスライド移動させる際に、スライド部材からコネクタ端子部及びハウジング部に対して、外部端子挿入方向に大きな力が作用してしまうことを抑制することができる。よって、スライド部材のスライド移動動作時に、基板に対して、基板に垂直な方向に大きな外力が作用してしまうことを抑制することができる。これにより、スライド部材のスライド移動動作時に、基板の歪が生じてしまうことを抑制できる。そして、基板においてコネクタの近傍に他の電子部品等が設置されている場合であっても、基板の歪が生じることによって他の電子部品等の破損が生じてしまうことを、抑制することができる。
【００１６】
（３）複数の前記コネクタ端子部と、複数の前記スライド部材とを備え、前記ハウジング部は、複数の前記コネクタ端子部を保持するベースハウジングと、複数の前記スライド部材を保持するスライドハウジングと、を有し、前記スライドハウジングは、前記ベースハウジングに対して、前記外部端子挿入方向に垂直な面に沿って、スライド移動可能に支持されていてもよい。
【００１７】
この構成によると、スライドハウジングをベースハウジングに対してスライド移動させることで、複数のコネクタ端子部に対して、複数のスライド部材を同時タイミングでスライド移動させることができる。よって、この構成によると、複数のコネクタ端子部と複数の外部端子との接触圧力の確保のために複数のスライド部材をスライド移動させる動作を容易且つ速やかに行うことができる。
【００１８】
（４）前記接点バネ部は、前記外部端子挿入方向に垂直な面に沿って又は前記外部端子挿入方向に斜めの面に沿って屈曲して延びる屈曲部を有し、前記接点部は、前記本体部から片持ち状に延びる前記接点バネ部において、前記屈曲部よりも根本側に設けられ、前記スライド部材は、前記本体部から片持ち状に延びる前記接点バネ部に対して、前記屈曲部よりも先端側で接触してもよい。
【００１９】
この構成によると、接点バネ部の根本側に接点部が設けられ、スライド部材が接点バネ部に対して接点バネ部における屈曲部よりも先端側で接触する。このため、接点バネ部は、接点バネ部の根本側で外部端子に安定して接触した状態で、接点バネ部の屈曲部よりも先端側にてスライド部材によって外部端子に向かって押し付けられる。よって、コネクタ端子部と外部端子との安定した接触状態を確保しつつコネクタ端子部と外部端子との十分な接触圧力を容易に確保することができる。
【００２０】
（５）前記スライド部材は、前記本体部から片持ち状に延びる前記接点バネ部に対して、前記屈曲部から先端側に向かう方向に沿ってスライド移動することで、前記接点バネ部を前記外部端子に向かって押し付けるように撓ませるように構成されていてもよい。
【００２１】
この構成によると、スライド部材が接点バネ部の屈曲部から先端側に向かう方向に沿ってスライド移動することで、接点バネ部が外部端子に向かって押し付けられる。このため、スライド部材をより円滑にスライド移動させることができる。よって、コネクタ端子部と外部端子との安定した接触状態を確保しつつコネクタ端子部と外部端子との十分な接触圧力を更に容易に確保することができる。
【発明の効果】
【００２２】
本発明によると、基板に設置されて基板と基板を貫通する外部端子とを接続するコネクタにおいて基板に設置された状態での基板からの高さを低くすることができるコネクタを提供することができる。
【図面の簡単な説明】
【００２３】
【図１】本発明の一実施の形態に係るコネクタを基板及び外部端子とともに示す斜視図である。
【図２】コネクタを基板及び外部端子とともに示す斜視図であって、コネクタを介して基板と外部端子とが接続された状態を示す図である。
【図３】コネクタを示す斜視図である。
【図４】コネクタを示す図であって、図４（Ａ）は平面図（上面図）であり、図４（Ｂ）は正面図であり、図４（Ｃ）は側面図であり、図４（Ｄ）は底面図である。
【図５】コネクタの分解斜視図である。
【図６】コネクタ及び基板の断面図である。
【図７】コネクタの断面図であって、基板とともに示す図である。
【図８】コネクタのハウジング部におけるベースハウジングを示す斜視図である。
【図９】ベースハウジングを示す図であって、図９（Ａ）は平面図（上面図）であり、図９（Ｂ）は正面図であり、図９（Ｃ）は底面図である。
【図１０】コネクタのハウジング部におけるスライドハウジングを示す斜視図である。
【図１１】スライドハウジングを示す図であって、図１１（Ａ）は平面図（上面図）であり、図１１（Ｂ）は正面図であり、図１１（Ｃ）は底面図である。
【図１２】コネクタのコネクタ端子部を示す斜視図である。
【図１３】コネクタ端子部を示す図であって、図１３（Ａ）は平面図（上面図）であり、図１３（Ｂ）は正面図であり、図１３（Ｃ）は側面図であり、図１３（Ｄ）は底面図である。
【図１４】コネクタ端子部を示す図であって、図１４（Ａ）及び図１４（Ｂ）は一部を切り欠き断面の状態で示す斜視図であり、図１４（Ｃ）は図１４（Ａ）の側面図である。
【図１５】図６の一部を拡大して示す図である。
【図１６】図７の一部を拡大して示す図である。
【図１７】コネクタのスライド部材を示す斜視図である。
【図１８】スライド部材を示す図であって、図１８（Ａ）は平面図（上面図）であり、図１８（Ｂ）は左側面図であり、図１８（Ｃ）は正面図であり、図１８（Ｄ）は右側面図であり、図１８（Ｅ）は底面図である。
【図１９】スライドハウジングにスライド部材が取り付けられた状態を示す斜視図である。
【図２０】スライドハウジング及びスライド部材を示す図であって、図２０（Ａ）は平面図（上面図）であり、図２０（Ｂ）は正面図であり、図２０（Ｃ）は底面図である。
【図２１】コネクタ、基板、及び外部端子の斜視図であって、コネクタの作動を説明するための図である。
【図２２】コネクタ、基板、及び外部端子の側面図であって、コネクタの作動を説明するための図である。
【図２３】コネクタ、基板、及び外部端子の断面図であって、コネクタの作動を説明するための図である。
【図２４】コネクタ及び外部端子の断面を基板とともに示す図であって、コネクタの作動を説明するための図である。
【図２５】コネクタ、基板、及び外部端子の斜視図であって、コネクタの作動を説明するための図である。
【図２６】コネクタ、基板、及び外部端子の断面図であって、コネクタの作動を説明するための図である。
【図２７】コネクタ及び外部端子の断面を基板とともに示す図であって、コネクタの作動を説明するための図である。
【図２８】コネクタ及び基板の断面を外部端子とともに示す図であって、コネクタの作動を説明するための図である。
【図２９】変形例に係るコネクタのコネクタ端子部の斜視図である。
【図３０】図２９に示すコネクタ端子部を示す図であって、図３０（Ａ）は平面図（上面図）であり、図３０（Ｂ）は正面図であり、図３０（Ｃ）は側面図であり、図３０（Ｄ）は底面図である。
【図３１】図２９に示すコネクタ端子部を示す図であって、図３１（Ａ）及び図３１（Ｂ）は一部を切り欠き断面の状態で示す斜視図であり、図３１（Ｃ）は図３１（Ａ）の側面図である。
【発明を実施するための形態】
【００２４】
以下、本発明を実施するための形態について図面を参照しつつ説明する。尚、本発明は、基板に設置されて基板と基板を貫通する外部端子とを接続するコネクタとして、種々の用途に広く適用することができるものである。
【００２５】
［コネクタの概略］
図１は、本発明の一実施の形態に係るコネクタ１を基板１００及び外部端子１０１とともに示す斜視図である。図２は、コネクタ１を基板１００及び外部端子１０１とともに示す斜視図であって、コネクタ１を介して基板１００と外部端子１０１とが接続された状態を示す図である。図３は、コネクタ１を示す斜視図である。図４は、コネクタ１を示す図であって、図４（Ａ）は、平面図（上面図）であり、図４（Ｂ）は、正面図であり、図４（Ｃ）は、側面図であり、図４（Ｄ）は、底面図である。図５は、コネクタ１の分解斜視図である。
【００２６】
尚、図１及び図２は、コネクタ１が基板１００に設置されて基板１００に対して電気的及び機械的に接続された状態を図示している。そして、図１は、外部端子１０１がコネクタ１に接続されていない状態を図示している。一方、図２は、外部端子１０１がコネクタ１に接続された状態を図示している。尚、図２に示すように、外部端子１０１は、コネクタ１を介して基板１００に接続される。
【００２７】
また、図１及び図２においては、基板１００については、一部のみが切り欠き状態で模式的に図示されており、コネクタ１が設置された部分とその近傍の部分とが図示されている。コネクタ１が設置される基板１００は、導電回路パターンが表裏面のうちの少なくともいずれか一方に設けられた基板として構成されている。図１及び図２では、基板１０１における導電回路パターンの図示は省略されている。基板１０１は、例えば、一例として、車載用の機器（図示省略）に設けられる基板として用いられる。基板１０１が設けられた機器は、バスバー（図示省略）から外部端子１０１及びコネクタ１を介して電源供給が行われる。
【００２８】
外部端子１０１は、導電性を有する金属材料で形成され、ピン状に形成されたオス型の端子として設けられている。外部端子１０１は、バスバーに固定されている。尚、バスバーには、複数の外部端子１０１が固定されている。複数の外部端子１０１は、基板１００を貫通した状態でコネクタ１に対して電気的及び機械的に接続される。そして、複数の外部端子１０１は、基板１００に接続されたコネクタ１に対して接続されることで、基板１００に対して電気的に接続される。尚、本実施形態では、ピン状に形成された外部端子１０１の形態を例示したが、外部端子１０１の形状は、この例の通りでなくてもよい。外部端子１０１は、いわゆるオス型に形成されていればどのような形状であってもよい。例えば、外部端子１０１の形状が、細長い片状の金属板が折り曲げられて棒状に加工されること等によって形成された形状であってもよい。
【００２９】
図１乃至図５に示すコネクタ１は、基板１００に設置されて基板１００と基板１００を貫通する外部端子１０１とを接続するコネクタとして構成されている。尚、本実施形態では、基板１００と基板１００を貫通する複数の外部端子１０１とを接続するコネクタ１の形態を例示している。
【００３０】
コネクタ１は、図１乃至図５に示すように、ハウジング部１１、複数のコネクタ端子部１２、複数のスライド部材１３、複数の補強タブ１４、を備えて構成されている。
【００３１】
複数のコネクタ端子部１２のそれぞれは、基板１００と複数の外部端子１０１のそれぞれとに対して接続されるように構成されている。各コネクタ端子部１２は、導電性を有する金属材料で形成されている。尚、コネクタ端子部１２の詳細な構成については、後述する。
【００３２】
ハウジング部１１は、複数のコネクタ端子部１２を保持するように構成されている。ハウジング部１１は、絶縁性を有する樹脂材料で形成されている。ハウジング部１１は、ベースハウジング１５及びスライドハウジング１６を備えて構成されている。ハウジング部１１の詳細な構成については、後述する。
【００３３】
複数の補強タブ１４は、ハウジング部１１を基板１００に対して機械的に強固に固定するための部材として設けられている。本実施形態では、補強タブ１４は、一対で設けられている。一対の補強タブ１４は、ハウジング部１１に対して、ハウジング部１１の幅方向の両側において、固定されている。尚、ハウジング部１１の幅方向は、ハウジング部１１に保持される複数のコネクタ端子部１２がハウジング部１１において並んで配置される方向として構成され、図１乃至図４において、両端矢印Ｘ１で示されている。また、ハウジング部１１の幅方向がコネクタ１の幅方向となる。
【００３４】
一対の補強タブ１４のそれぞれは、金属製のプレート状の部材の一部が折り曲げられることにより形成されている。各補強タブ１４は、ハウジング部１１において幅方向の両側にそれぞれ設けられた各タブ用スリット２８に圧入されて固定されている（図３、図４（Ａ）及び図４（Ｂ）を参照）。また、補強タブ１４には、端部において、略９０度に折り曲げられて形成された固定部１４ａが設けられている。固定部１４ａは、補強タブ１４が固定されたハウジング部１１が基板１００に固定される際に、基板１００に対してはんだ付けされる部分として設けられている。即ち、補強タブ１４が圧入されて固定されたハウジング部１１は、固定部１４ａが基板１００にはんだ付けされることにより、基板１００に対して機械的に強固に固定される。尚、図１及び図２では、固定部１４ａがはんだ１０２にて基板１００にはんだ付けされた状態が図示されている。
【００３５】
図６は、コネクタ１及び基板１００の断面図である。図６は、コネクタ１の前後方向に対して垂直な断面におけるコネクタ１及び基板１００の断面図である。即ち、図６は、コネクタ１の幅方向及び高さ方向に沿った断面におけるコネクタ１及び基板１００の断面図である。コネクタ１の前後方向は、図１乃至図４において、両端矢印Ｘ２で図示されている。コネクタ１の高さ方向は、図１乃至図４において、両端矢印Ｘ３で図示されている。尚、コネクタ１の前後方向は、ハウジング部１１の前後方向となり、コネクタ１の高さ方向は、ハウジング部１１の高さ方向となる。また、コネクタ１の高さ方向は、コネクタ１が基板１００に設置された状態では、基板１００の表面に対して垂直な方向と平行な方向となる。更に、コネクタ１の高さ方向は、外部端子１０１がハウジング部１１に挿入される方向である外部端子挿入方向と平行な方向となる。
【００３６】
図６に示すように、コネクタ１が設置される基板１００には、複数の外部端子１０１が貫通する貫通孔１００ａが形成されている。貫通孔１００ａは、基板１００を表裏面方向に貫通する孔として設けられている。そして、貫通孔１００ａは、コネクタ１が基板１００に設置された状態でコネクタ１に対向するとともにコネクタ１の幅方向に沿って長孔状に延びる孔として設けられている。複数の外部端子１０１は、貫通孔１００ａを貫通した状態でコネクタ１のハウジング部１１に挿入されてコネクタ１に接続される。
【００３７】
［ハウジング部］
図７は、コネクタ１の断面図であって、基板１００とともに示す図である。尚、図７は、コネクタ１の高さ方向に対して垂直な断面におけるコネクタ１の断面を示している。また、図７は、図６のＸ４−Ｘ４線矢視位置におけるコネクタ１の断面を示している。
【００３８】
図１乃至図７に示すハウジング部１１は、ベースハウジング１５、及びスライドハウジング１６、を備え、複数のコネクタ端子部１２を保持するように構成されている。また、ハウジング部１１は、複数のコネクタ端子部１２及び一対の補強タブ１４を介して、基板１００に設置されるように構成されている。
【００３９】
［ベースハウジング］
図８は、コネクタ１のハウジング部１１におけるベースハウジング１５を示す斜視図である。図９は、ベースハウジング１５を示す図であって、図９（Ａ）は、平面図（上面図）であり、図９（Ｂ）は、正面図であり、図９（Ｃ）は、底面図である。
【００４０】
図１乃至図９に示すベースハウジング１５は、ハウジング部１１において、複数のコネクタ端子部１２を保持するハウジング要素として設けられている。ベースハウジング１５は、例えば、樹脂成形により形成される。そして、ベースハウジング１５は、ハウジング部１１の高さ方向に延びる略角筒状の基本外形部分を有する部材として構成されている。より具体的には、ベースハウジング１１は、前壁部１７、後壁部１８、右壁部１９、左壁部２０、底壁部２１を有し、これらが一体に形成されている。そして、前壁部１７、後壁部１８、右壁部１９、及び左壁部２０は、略角筒状の部分を構成している。また、ベースハウジング１５は、略角筒状の部分の内側の領域において、複数のコネクタ端子部１２のそれぞれの大部分を収容するように構成されている。また、ベースハウジング１５は、底壁部２１が基板１００の表面に対向する状態で、基板１００に設置される。
【００４１】
ベースハウジング１５は、その高さ方向（即ち、ハウジング部１１の高さ方向）における上面側において、開口２２が設けられている。即ち、開口２２は、ベースハウジング１５において、ベースハウジング１５の高さ方向における底壁部２１側と反対側の端部において開口するように設けられている。開口２２は、複数のコネクタ端子部１２が挿入される開口として設けられている。
【００４２】
また、ベースハウジング１５には、その内部において、複数の端子収容室２３が設けられている（図６乃至図９を参照）。複数の端子収容室２３のそれぞれは、複数のコネクタ端子部１２のそれぞれにおける後述の本体部３３を収容する領域として構成されている。複数の端子収容室２３は、開口２２の内側で外部に向けて開口している。また、複数の端子収容室２３は、ベースハウジング１５の幅方向（即ち、ハウジング部１１の幅方向）に沿って並んで配置されている。
【００４３】
また、各端子収容室２３は、ベースハウジング１５の内部に設けられた区画壁２４によって、区画されている（図６乃至図９を参照）。区画壁２４は、複数設けられ、ベースハウジング１５の内部において、ベースハウジング１５の幅方向に沿って並んで設けられている。各区画壁２４は、底壁部２１からベースハウジング１５の高さ方向に沿って上面側に向かって片持ち状に延びる板状の壁部として設けられている。そして、隣り合う端子収容室２３は、区画壁２４によって区画されている。また、複数の区画壁２４のそれぞれの先端部分は、開口２２からベースハウジング１１の外部に向けて突出している。
【００４４】
また、底壁部２１には、底壁部２１をベースハウジング１５の高さ方向に貫通する外部端子挿入孔２５が複数設けられている（図６、図７、図９を参照）。そして、複数の外部端子収容室２３のそれぞれは、複数の外部端子挿入孔２５のそれぞれを介して、外部と連通している。各外部端子挿入孔２５は、各外部端子１０１が基板１００の貫通孔１００ａを貫通してコネクタ１に接続される際に各外部端子１０１がベースハウジング１５に挿入される孔として設けられている。よって、外部端子挿入孔２５は、コネクタ１が基板１００に設置された状態で、基板１００の貫通孔１００ａに対向して開口するように、設けられている。
【００４５】
また、外部端子挿入孔２５の内面における外側に開口する部分には、外部端子１０１の挿入方向をガイドするためのガイド面２５ａが設けられている。ガイド面２５ａは、外部端子挿入孔２５における外部へ開口した領域の断面積を大きくするように形成されている。更に、ガイド面２５ａは、ベースハウジング１５の内側に向かって、外部端子挿入孔２５の断面積を減少させ、外部端子挿入孔２５を窄まらせるように形成されている。
【００４６】
また、ベースハウジング１５には、前壁部１７において、複数の端子用スリット２６が設けられている（図３、図４、図７乃至図９を参照）。複数の端子用スリット２６は、前壁部１７において、ベースハウジング１５の幅方向に沿って等間隔で並んで配置されている。そして、各端子用スリット２６は、前壁部１７において、ベースハウジング１５の高さ方向に延びる溝として設けられている。また、端子用スリット２６は、コネクタ端子部１２がベースハウジング１５に挿入されて保持される際に、コネクタ端子部１２における後述の基板実装部３４が通過する溝として設けられている。尚、コネクタ端子部１２のベースハウジング１５への挿入が完了してコネクタ端子部１２がベースハウジング１５に保持された状態でも、コネクタ端子部１２の基板実装部３４の一部は、端子用スリット２６から外部に突出している。
【００４７】
また、ベースハウジング１５には、前壁部１７の幅方向中央部分の上端部において、一対のロック凸部２７が設けられている。一対のロック凸部２７は、スライドハウジング１６に設けられた後述のロックアーム部３２と係合する部分として設けられている。コネクタ１と外部端子１０１との接続が完了した状態では、スライドハウジング１６のロックアーム部３２がベースハウジング１５のロック凸部２７に係合する。ロック凸部２７とロックアーム部３２との係合により、コネクタ１と外部端子１０１とが適切に接続された状態が維持される。
【００４８】
また、ベースハウジング１５には、右壁部１９の外面側において、補強タブ１４が圧入されて固定されるタブ用スリット２８が設けられている。同様に、ベースハウジング１５には、左壁部２０の外面側においても、補強タブ１４が圧入されて固定されるタブ用スリット２８が設けられている。
【００４９】
また、ベースハウジング１５には、右壁部１９の内側において、抜け防止凸部２９が設けられている（図６を参照）。同様に、ベースハウジング１５には、左壁部２０の内側においても、抜け防止凸部２９が設けられている（図６を参照）。ベースハウジング１５の抜け防止凸部２９は、ベースハウジング１５の内側に向かって凸状に突出する部分として設けられ、後述するスライドハウジング１６の抜け防止凸部３１ａと当接して係合する部分として設けられている。ベースハウジング１５の抜け防止凸部２９がスライドハウジング１６の抜け防止凸部３１ａと当接して係合することで、スライドハウジング１６がベースハウジング１５から抜け落ちてしまうことが防止されるように構成されている。
【００５０】
［スライドハウジング］
図１０は、ハウジング部１１のスライドハウジング１６を示す斜視図である。図１１は、スライドハウジング１６を示す図であって、図１１（Ａ）は、平面図（上面図）であり、図１１（Ｂ）は、正面図であり、図１１（Ｃ）は、底面図である。図１乃至図７、図１０、図１１に示すスライドハウジング１６は、ハウジング部１１において、複数のスライド部材１３を保持するハウジング要素として設けられている。スライドハウジング１６は、例えば、樹脂成形により形成される。
【００５１】
スライドハウジング１６は、複数のスライド部材１３を保持した状態でベースハウジング１５に対して取り付けられる。スライドハウジング１６には、本体部３０、一対の脚部３１、ロックアーム部３２、等が設けられている。スライドハウジング１６は、本体部３０において複数のスライド部材１３を保持し、一対の脚部３１がベースハウジング１５に挿入された状態で、ベースハウジング１５に対して取り付けられるように構成されている。また、スライドハウジング１６は、ベースハウジング１５に取り付けられた状態では、ベースハウジング１５に対して、外部端子１０１がハウジング部１１へ挿入される方向である外部端子挿入方向に垂直な面に沿って、スライド移動可能に支持されている。尚、本実施形態では、スライドハウジング１６は、ベースハウジング１５に対して、ベースハウジング１５の前後方向（即ち、ハウジング部１１の前後方向）に沿ってスライド移動可能に支持されている。
【００５２】
本体部３０は、スライドハウジング１６の高さ方向（即ち、ハウジング部１１の高さ方向）を厚み方向とする厚肉の略矩形の板状の部分として設けられている。本体部３０には、一対の脚部３１及びロックアーム部３２が一体に設けられている。また、本体部３０には、複数のスライド部材１３をそれぞれ保持する複数の保持穴３０ａが設けられている（図１１（Ｃ）を参照）。複数の保持穴３０ａのそれぞれは、後述するスライド部材１３の一部が圧入される穴として設けられている。複数の保持穴３０ａは、本体部３０において、スライドハウジング１６がベースハウジング１５に取り付けられる際にベースハウジング１５に対向する側である底面側にて開口している。また、複数の保持穴３０ａは、本体部３０において、スライドハウジング１６の幅方向（即ち、ハウジング部１１の幅方向）に沿って等間隔で並んで設けられている。
【００５３】
一対の脚部３１は、本体部３０から片持ち状に突出する板状の部分として設けられ、本体部３０から本体部３０の幅方向（即ち、スライドハウジング１６の幅方向）の両側において突出するように設けられている。また、一対の脚部３１は、本体部３０の底面側からスライドハウジング１６の高さ方向に沿って片持ち状に突出するように設けられている。スライドハウジング１６がベースハウジング１５に取り付けられる際には、スライドハウジング１６の一対の脚部３１が、その先端側からベースハウジング１５の開口２２に挿入される。
【００５４】
また、一対の脚部３１のそれぞれには、一対の抜け防止凸部３１ａが設けられている（図６、図１０、図１１を参照）。即ち、各脚部３１には、一対の抜け防止凸部３１ａが設けられている。各脚部３１に設けられた一対の抜け防止凸部３１ａのそれぞれは、各脚部３１からスライドハウジング１６の幅方向の外側に向かって凸状に突出して設けられている。また、各脚部３１に設けられた一対の抜け防止凸部３１ａは、スライドハウジング１６の前後方向（即ち、ハウジング部１１の前後方向）に沿って並んで設けられている。
【００５５】
ロックアーム部３２は、本体部３０の前面側に設けられ、ベースハウジング１５に設けられた一対のロック凸部２７と係合する部分として設けられている。ロックアーム部３２は、ベースハウジング１５に取り付けられたスライドハウジング１６がベースハウジング１５に対してスライド移動することで、一対のロック凸部２７に係合するように構成されている。ロックアーム部３２は、スライドハウジング１６の幅方向に沿って細長く延びるレバー状の部分として設けられている。そして、ロックアーム部３２は、スライドハウジング１６の幅方向に延びる長手方向の両端部において、本体部３０に一体に設けられている。ロックアーム部３２は、長手方向の両端部において本体部３０に一体に支持されているため、長手方向の中央部分が長手方向の両端部に対して撓むように設けられている。
【００５６】
［コネクタ端子部］
図１２は、コネクタ１に備えられる複数のコネクタ端子部１２のうちの１つのコネクタ端子部１２を示す斜視図である。図１３は、コネクタ端子部１２を示す図であって、図１３（Ａ）は、平面図（上面図）であり、図１３（Ｂ）は、正面図であり、図１３（Ｃ）は、側面図であり、図１３（Ｄ）は、底面図である。図１４は、コネクタ端子部１２を示す図であって、図１４（Ａ）及び図１４（Ｂ）は、一部を切り欠き断面の状態で示す斜視図であり、図１４（Ｃ）は、図１４（Ａ）の側面図である。図１５は、図６の一部を拡大して示す図であって、１つのコネクタ端子部１２とその近傍におけるコネクタ１の断面を拡大して示す図である。図１６は、図７の一部を拡大して示す図であって、１つのコネクタ端子部１２とその近傍におけるコネクタ１の断面を拡大して示す図である。
【００５７】
図１乃至図７、図１２乃至図１６に示すコネクタ端子部１２は、導電性を有する金属材料により形成されており、基板１００と外部端子１０１とを電気的に接続する要素として設けられている。本実施形態では、コネクタ端子部１２は、基板１００の表面に対してはんだ付けにより実装されて接続されるとともに、外部端子１０１に接続される端子として構成されている。また、コネクタ端子部１２は、コネクタ１において複数備えられている。尚、本実施形態では、コネクタ端子部１２が５つ備えられたコネクタ１の形態を例示している。
【００５８】
複数のコネクタ端子部１２のそれぞれは、例えばプレス打ち抜き加工により形成された板金が折り曲げられることにより形成されている。そして、複数のコネクタ端子部１２のそれぞれは、本体部３３、基板実装部３４、圧入部３５、連結バネ部３６、接点部３８を含む接点バネ部３７、を備えて構成されている。本体部３３、基板実装部３４、圧入部３５、連結バネ部３６、接点バネ部３７は、一体に設けられている。
【００５９】
本体部３３は、基板実装部３４及び圧入部３５が一体に設けられた連結バネ部３６と、接点バネ部３７とを、一体に連結する部分として設けられている。そして、本体部３３は、本実施形態では、角筒状に折り曲げられることで形成された部分として設けられている。また、本体部３３は、ベースハウジング１５の端子収容室２３に挿入されて嵌め込まれる部分として設けられている。コネクタ端子部１２は、本体部３３がベースハウジング１５の開口２２側から端子収容室２３に嵌め込まれて収容された状態で、ベースハウジング１５に保持されている。
【００６０】
また、各筒状の本体部３３の内側には、接点バネ部３７が配置されている。即ち、本体部３３は、接点バネ部３７の周囲を囲む角筒状に形成されている。そして、本体部３３は、その内側において、接点バネ部３７を片持ち状態で一体に支持している。また、本体部３３の内部においては、接点バネ部３７を挟んで対向する本体部３３の一対の内壁（３３ａ、３３ｂ）と接点バネ部３７との間に隙間がそれぞれ形成されている。本体部３３の一方の内壁３３ａと接点バネ部３７との間の隙間に外部端子１０１が挿入され、本体部３３の他方の内壁３３ｂと接点バネ部３７との間の隙間に後述するスライド部材１３が挿入される。
【００６１】
基板実装部３４は、コネクタ端子部１２において、基板１００の表面にはんだ付けによって実装されて基板１００に接続される部分として設けられている。そして、コネクタ１においては、コネクタ端子部１２がベースハウジング１５に保持されており、基板実装部３４は、ベースハウジング１５における前壁部１７の端子用スリット２６から外部に露出した状態で配置されている。ベースハウジング１５から外部に露出した基板実装部３４は、はんだ１０３によって、基板１００の表面にはんだ付けによって実装される（図１、図７、図１６を参照）。コネクタ端子部１２は、基板実装部３４において基板１００の表面にはんだ付けされることによって、基板１００に対して電気的及び機械的に接続される。
【００６２】
圧入部３５は、コネクタ端子部１２において、ベースハウジング１５に圧入される部分として設けられている。尚、ベースハウジング１５の底壁部２１には、複数の圧入用孔４１が貫通形成されている（図９（Ａ）及び図９（Ｃ）を参照）。圧入部３５は、ベースハウジング１５の複数の圧入用孔４１のそれぞれに対して、圧入される。コネクタ端子部１２は、本体部３３がベースハウジング１５の端子収容室２３に嵌め込まれて収容された状態で、圧入部３５がベースハウジング１５の圧入用孔４１に圧入されるように、構成されている。そして、コネクタ端子部１２は、本体部３３が端子収容室２３に収容されるとともに圧入部３５が圧入用孔４１に圧入された状態で、ベースハウジング１５に強固に保持されている。
【００６３】
連結バネ部３６は、基板実装部３４及び圧入部３５と、本体部３３とを、連結するバネ部として設けられている。そして、連結バネ部３６は、弾性変形することで、基板実装部３４及び圧入部３５に対する本体部３３及び接点バネ部３７の相対変位を許容するバネ部として設けられている。本実施形態では、連結バネ部３６は、複数回に亘って屈曲しながら延びる細長い板バネ状の部分として設けられ、半円弧状に繰り返し湾曲しながら延びるバネ部として設けられている。
【００６４】
接点バネ部３７は、接点部３８を含むとともに弾性変形して撓んだ状態で外部端子１０１に接触することが可能に構成された板バネ状の部分として設けられている。また、接点バネ部３７は、本体部３３の内側で本体部３３に一体に設けられ、本体部３３に対して片持ち状に支持されている。即ち、接点バネ部３７は、本体部３３の内側において、本体部３３から片持ち状に延びるように構成されている。そして、接点バネ部３７は、接点部３８、屈曲部３９、及びスライド部材接触部４０を備えている。
【００６５】
接点部３８は、ハウジング部１１のベースハウジング１５に外部端子挿入孔２５から挿入される外部端子１０１に接触して外部端子１０１に電気的に接続される板バネ状の部分として設けられている。本実施形態では、接点部３８は、本体部３３から片持ち状に真っ直ぐに延びるように設けられている。また、接点部３８は、本体部３３から、外部端子１０１がハウジング部１１へ挿入される方向に垂直な面に沿って、片持ち状に延びるように設けられている。
【００６６】
屈曲部３９は、本体部３３から片持ち状に延びる接点部３８の端部に設けられ、接点部３８と一体に設けられている。即ち、屈曲部３９は、接点部３８における本体部３３側とは反対側の端部において接点部３８と一体に設けられている。このため、接点部３８は、本体部３３から片持ち状に延びる接点バネ部３７において、屈曲部３９よりも根本側に設けられている。即ち、接点部３８は、本体部３３から片持ち状に延びる接点バネ部３７において、屈曲部３９よりも本体部３３側の部分として設けられている。また、屈曲部３９は、本体部３３から、外部端子１０１がハウジング部１１へ挿入される方向に垂直な面に沿って、屈曲して延びる部分として設けられている。
【００６７】
スライド部材接触部４０は、後述するスライド部材１３に接触する部分として設けられている。本実施形態では、スライド部材接触部４０は、本体部３３から片持ち状に延びる接点バネ部３７において、屈曲部３９よりも先端側の部分として設けられている。即ち、スライド部材接触部４０は、本体部３３から片持ち状に延びる接点バネ部３７において、屈曲部３９を挟んで接点部３８と反対側の部分として設けられている。そして、スライド部材接触部４０は、本体部３３から片持ち状に延びる接点バネ部３７における屈曲部３９よりも先端側において、外部端子１０１がハウジング部１１へ挿入される方向に垂直な面に沿って延びるように設けられている。
【００６８】
接点バネ部３７は、上述の通り、本体部３３から、接点部３８、屈曲部３９、及びスライド部材接触部４０の順番で、片持ち状に延びるように設けられている。そして、接点部３８、屈曲部３９、及びスライド部材接触部４０は、外部端子１０１がハウジング部１１へ挿入される方向である外部端子挿入方向に垂直な面に沿って延びるように設けられている。このため、接点バネ部３７は、本体部３３から、上記の外部端子挿入方向に垂直な面に沿って、片持ち状に延びるように設けられている。また、これにより、コネクタ１が基板１００に設置された状態で、接点バネ部３７は、本体部３３から、基板１００の表面と平行な面に沿って、片持ち状に延びるように設けられている。
【００６９】
［スライド部材］
図１７は、スライド部材１３を示す斜視図である。図１８は、スライド部材１３を示す図であって、図１８（Ａ）は、平面図（上面図）であり、図１８（Ｂ）は、左側面図であり、図１８（Ｃ）は、正面図であり、図１８（Ｄ）は、右側面図であり、図１８（Ｅ）は、底面図である。
【００７０】
図５乃至図７、図１５乃至図１８に示すスライド部材１３は、直線状に細長く延びる板状のスライド本体部４２を有する部材として設けられ、例えば、金属材料により形成されている。スライド部材１３は、コネクタ１において複数備えられている。コネクタ１においては、スライド部材１３は、コネクタ端子部１２と同数備えられており、本実施形態では、スライド部材１３が５つ備えられたコネクタ１の形態を例示している。
【００７１】
複数のスライド部材１３のそれぞれには、スライドハウジング１６の複数の保持穴３０ａのそれぞれに対して圧入される圧入部４３が設けられている。圧入部４３は、直線状に延びる板状のスライド本体部４２における一方の端部と一体に設けられている。各スライド部材１３は、圧入部４３においてスライドハウジング１６の各保持穴３０ａに圧入されることで、スライドハウジング１６に保持されている。また、各スライド部材１３は、スライド本体部４２の一方の端部側の圧入部４３にてスライドハウジング１６に保持されていることで、スライドハウジング１６の本体部３０から片持ち状に突出した状態で、スライドハウジング１６に保持されている。
【００７２】
また、各スライド部材１３は、ベースハウジング１５に対して外部端子挿入方向（外部端子１０１がハウジング部１１へ挿入される方向）に垂直な面に沿ってスライド移動可能に支持されたスライドハウジング１６に保持されている。そして、各スライド部材１３は、ベースハウジング１５の開口２２からベースハウジング１５の内部に向かって突出した状態で、スライドハウジング１６に保持されている。即ち、スライドハウジング１６に片持ち状に支持された各スライド部材１３は、スライドハウジング１６から、ハウジング部１１の高さ方向に沿って、ベースハウジング１５の底壁部２１側に向かって突出するように延びている。このため、コネクタ１が基板１００に設置された状態では、各スライド部材１３は、スライドハウジング１６から、外部端子１０１がハウジング部１１へ挿入される方向である外部端子挿入方向に沿って、基板１００に向かって延びるように、設けられている。
【００７３】
また、各スライド部材１３は、各コネクタ端子部１２の角筒状の本体部３３の内部に挿入された状態で、ハウジング部１１の高さ方向に沿ってスライドハウジング１６から片持ち状に延びている。そして、各コネクタ端子部１２の本体部３３の内部に挿入された状態で延びる各スライド部材１３は、本体部３３の内壁３３ｂと接点バネ部３７との間の隙間において挿入されている。
【００７４】
上記のように、各スライド部材１３は、ベースハウジング１５に対して上記の外部端子挿入方向に垂直な面に沿ってスライド移動可能に支持されたスライドハウジング１６に保持されている。そして、各スライド部材１３は、各コネクタ端子部１２の本体部３３の内部にて本体部３３の内壁３３ｂと接点バネ部３７との間の隙間において挿入されている。このため、各スライド部材１３は、接点バネ部３７に接触した状態で接点バネ部３７に対してスライド移動しながら相対変位可能にハウジング部１１に保持されている。更に、各スライド部材１３は、上記の外部端子挿入方向に垂直な面に沿って、接点バネ部３７に対してスライド移動することで、接点バネ部３７を外部端子１０１に向かって押し付けるように撓ませるように構成されている。
【００７５】
また、各スライド部材１３は、各コネクタ端子部１２の本体部３３の内部にて本体部３３の内壁３３ｂと接点バネ部３７のスライド部材接触部４０との間の隙間において挿入され、接点バネ部３７に対して、スライド部材接触部４０において接触するように配置されている。即ち、各スライド部材１３は、各コネクタ端子部１２の本体部３３の内部において、本体部３３から片持ち状に延びる接点バネ部３７に対して、屈曲部３９よりも先端側で接触するように配置されている。そして、スライド部材１３を保持するスライドハウジング１６は、ベースハウジング１５に対して、ベースハウジング１５の後方側から前方側に向かってスライド移動可能に支持されている。これにより、各スライド部材１３は、各コネクタ端子部１２の本体部３３から片持ち状に延びる接点バネ部３７に対して、屈曲部３９から先端側に向かう方向に沿って前方側に向かってスライド移動することで、接点バネ部３７を外部端子１０１に向かって押し付けるように撓ませるように構成されている。
【００７６】
また、スライドハウジング１６に片持ち状に支持された各スライド部材１３のスライド本体部４２は、スライドハウジング１６から、ハウジング部１１の高さ方向に沿って、ベースハウジング１５の底壁部２１側に向かって突出するように延びている。即ち、スライド本体部４２は、その長手方向は、ハウジング部１１の高さ方向に沿って延びるように配置されている。そして、スライド本体部４２には、その長手方向に沿って延びるテーパ部４２ａが設けられている。
【００７７】
テーパ部４２ａは、スライド本体部４２の前方側の縁部分として設けられ、スライドハウジング１６に保持されたスライド部材１３のスライド本体部４２において前方側に向かって窄まるように形成された部分として設けられている。即ち、テーパ部４２ａは、スライド本体部４２の前後方向に垂直な面における断面積が前方側に向かって減少する先細り形状の部分を有するように形成されたスライド本体部４２の前方側の縁部分として設けられている。尚、スライド本体部４２の前後方向は、スライド部材１３の前後方向、スライドハウジング１６の前後方向、及びハウジング部１１の前後方向と平行な方向となる。
【００７８】
各スライド部材１３のスライド本体部４２には、前方側に向かって上記の構成のテーパ部４２ａが設けられている。このため、各スライド部材１３が各接点バネ部３７に対して屈曲部３９から先端側に向かう方向に沿ってスライド移動する際には、各スライド部材１３は、各コネクタ端子部１２の本体部３３の内部にて内壁３３ｂとスライド部材接触部４０との間の隙間に沿って、その隙間の前方側に向かって、テーパ部４２ａの先端側から挿入される。これにより、各スライド部材１３が各接点バネ部３７に対して屈曲部３９から先端側に向かう方向に沿ってスライド移動する際に、各接点バネ部３７を各外部端子１０１に向かって容易に押し付けるように撓ませることができる。
【００７９】
［コネクタの組み立て］
上述したコネクタ１は、ベースハウジング１５、一対の補強タブ１４、複数のコネクタ端子部１２、スライドハウジング１６、複数のスライド部材１３が組み立てられることで構成される。コネクタ１の組み立てにおいては、まず、スライドハウジング１６に複数のスライド部材１３が取り付けられ、ベースハウジング１５に一対の補強タブ１４及び複数のコネクタ端子部１２が取り付けられる。
【００８０】
図１９は、スライドハウジング１６に複数のスライド部材１３が取り付けられた状態を示す斜視図である。図２０は、スライドハウジング１６及び複数のスライド部材１３を示す図であって、図２０（Ａ）は、平面図（上面図）であり、図２０（Ｂ）は、正面図であり、図２０（Ｃ）は、底面図である。
【００８１】
スライドハウジング１６に複数のスライド部材１３が取り付けられる際には、スライドハウジング１６の本体部３０の複数の保持穴３０ａのそれぞれに対して、複数のスライド部材１３のそれぞれの圧入部４３が圧入される。これにより、図１９及び図２０に示すように、スライド部材１３は、スライドハウジング１６の本体部３０から片持ち状に突出した状態で、スライドハウジング１６に保持される。また、スライド部材１３は、スライドハウジング１６の本体部３０から、一対の脚部３１と同方向に向かって片持ち状に突出している。
【００８２】
一方、ベースハウジング１５に対しては、一対の補強タブ１４及び複数のコネクタ端子部１２が取り付けられる。補強タブ１４は、ベースハウジング１５に対して、タブ用スリット２８において圧入されることで、取り付けられる。コネクタ端子部１２は、基板実装部３４が端子用スリット２６に挿通されるとともに、本体部３３がベースハウジング１５の開口２２から端子収容室２３に嵌め込まれ、更に、圧入部３５が圧入用孔４１に圧入されることで、ベースハウジング１５に取り付けられる。
【００８３】
スライドハウジング１６への複数のスライド部材１３の取り付けが終了し、ベースハウジング１５への一対の補強タブ１４及び複数のコネクタ端子部１２の取り付けが終了すると、スライドハウジング１６のベースハウジング１５への取り付けが行われる。
【００８４】
上記の取り付けの際には、複数のスライド部材１３を保持したスライドハウジング１６の一対の脚部３１が、ベースハウジング１５に対して、ベースハウジング１５の開口２２から挿入される。このとき、一対の脚部３１のそれぞれに設けられた抜け防止凸部３１ａが、ベースハウジング１５の開口２２の奥側においてベースハウジング１５の抜け防止凸部２９を乗り越える位置まで、一対の脚部３１がベースハウジング１５の内部に挿入される。これにより、スライドハウジング１６の一対の脚部３１の抜け防止凸部３１ａがベースハウジング１５の奥側まで挿入され、スライドハウジング１６の抜け防止凸部３１ａとベースハウジング１５の抜け防止凸部２９とが係合可能な状態となる。そして、スライドハウジング１６のベースハウジング１５からの抜け止めが図られた状態となる。
【００８５】
上記のように、スライドハウジング１６のベースハウジング１５からの抜け止めが図られた状態で、スライドハウジング１６のベースハウジング１５への取り付けが終了し、コネクタ１の組み立てが終了する。また、この状態では、スライドハウジング１６の抜け防止凸部３１ａとベースハウジング１５の抜け防止凸部２９とは、ハウジング部１１の高さ方向において係合可能な状態であり、ハウジング部１１の前後方向においてスライド移動可能な状態となっている。このため、スライドハウジング１６は、ベースハウジング１５に対して、ハウジング部１１の前後方向に沿って、スライド移動可能に支持されている。
【００８６】
［コネクタによる基板と外部端子との接続］
次に、上述のように組み立てられたコネクタ１による基板１００と複数の外部端子１０１との接続について更に説明する。基板１００には、例えば、表裏面に導電回路パターン（図示省略）が設けられており、その基板１００に対して、コネクタ１が実装されて接続される。
【００８７】
基板１００へのコネクタ１の接続の際には、図３に示す状態のコネクタ１が、基板１００に対して基板１００の貫通孔１００ａを塞ぐように配置された状態で基板１００の表面に実装され、基板１００に設置される。そして、図１に示すように、コネクタ１の複数のコネクタ端子部１２の基板実装部３４が、基板１００の表面にはんだ１０３にてはんだ付けによって実装されて接続される。また、コネクタ１の各補強タブ１４の固定部１４ａも、基板１００の表面にはんだ１０２にてはんだ付けによって実装されて固定される。
【００８８】
上記のように、コネクタ１の複数のコネクタ端子部１２と一対の補強タブ１４とが基板１００に実装されることにより、図１、図６、図７に示すように、基板１００とコネクタ１とが電気的及び機械的に接続された状態となる。
【００８９】
基板１００とコネクタ１とが接続されると、コネクタ１と複数の外部端子１０１との接続が行われる。コネクタ１と複数の外部端子１０１とが接続されることで、コネクタ１を介して基板１００と複数の外部端子１０１とが接続される。図２１乃至図２４は、コネクタ１の作動を説明するための図であって、コネクタ１を介した基板１００と複数の外部端子１０１との接続動作を説明するための図である。尚、図２１は、コネクタ１、基板１００、及び外部端子１０１の斜視図である。図２２は、コネクタ１、基板１００、及び外部端子１０１の側面図である。図２３は、コネクタ１、基板１００、及び外部端子１０１の断面図である。図２４は、コネクタ１及び外部端子１０１の断面を基板１００とともに示す図である。尚、図２３は、図６に対応する断面の断面図であり、図２４は、図７に対応する断面の断面図である。
【００９０】
コネクタ１を介した基板１００と複数の外部端子１０１との接続が行われる際には、まず、複数の外部端子１０１が基板１００の貫通孔１００ａに挿入される。そして、図２１乃至図２４に示すように、基板１００の貫通孔１００ａに挿入された複数の外部端子１０１のそれぞれは、コネクタ１のハウジング部１１の複数の外部端子挿入孔２５のそれぞれに挿入される。尚、複数の外部端子１０１は、コネクタ１に対して、複数の外部端子挿入孔２５から同時に挿入される。
【００９１】
ベースハウジング１５の各外部端子挿入孔２５からコネクタ１に挿入された各外部端子１０１の先端部は、コネクタ１の内部において、ベースハウジング１１の各端子収容室２３に収容された各コネクタ端子部１２の本体部３３の内側を通過する。そして、各コネクタ端子部１２の本体部３３の内側を通過する各外部端子１０１は、本体部３３の内壁３３ａと接点バネ部３７の接点部３８との間の隙間に挿入される。これにより、各外部端子１０１は、本体部３３の内壁３３ａと接点バネ部３７の接点部３８とに挟まれ、接点部３８に接触した状態となる。このとき、接点バネ部３７は、外部端子１０１に接触することで、少し弾性変形して僅かに撓んだ状態となる。これにより、接点バネ部３７と外部端子１０１とが接触して電気的に接続される。
【００９２】
尚、スライドハウジング１６には、本体部３０において、複数の確認窓４４が設けられている（図２１及び図２３を参照）。確認窓４４は、コネクタ１に複数の外部端子１０１を接続する作業を行った作業者が、コネクタ１に外部端子１０１が挿入されているか否かを視認して確認するための窓として設けられている。複数の確認窓４４のそれぞれは、本体部３０を高さ方向に貫通する貫通孔として設けられている。そして、複数の確認窓４４のそれぞれは、ハウジング部１１の高さ方向において複数の外部端子挿入孔２５のそれぞれに対応する位置に設けられている。このため、作業者は、確認窓４４から外部端子１０１が見えることを確認することで、コネクタ１に外部端子１０１が挿入されているか否かを確認することができる。
【００９３】
上記のようにコネクタ１に複数の外部端子１０１が挿入された状態では、各スライド部材１３は、各コネクタ端子部１２の接点バネ部３７を各外部端子１０１に向かって押し付けるように付勢する前の位置に位置している（図２３及び図２４を参照）。この状態では、スライドハウジング１６は、ベースハウジング１５に対して、後方側にずれた位置に位置している（図２２を参照）。
【００９４】
図２５乃至図２８は、コネクタ１の作動を説明するための図であって、コネクタ１を介した基板１００と複数の外部端子１０１との接続動作が完了した状態を説明するための図である。尚、図２５は、コネクタ１、基板１００、及び外部端子１０１の斜視図である。図２６は、コネクタ１、基板１００、及び外部端子１０１の断面図である。図２７は、コネクタ１及び外部端子１０１の断面を基板１００とともに示す図である。図２８は、コネクタ１及び基板１００の断面を外部端子１０１とともに示す図である。尚、図２６は、図６に対応する断面の断面図であり、図２７は、図７に対応する断面の断面図であり、図２８は、図２６のＸ６−Ｘ６線矢視位置における断面を示している。
【００９５】
図２１乃至図２４に示す状態から、複数のスライド部材１３を保持したスライドハウジング１６が、ベースハウジング１５に対して、ベースハウジング１５の後方側から前方側に向かってスライド移動するように、作業者によって操作される。即ち、スライドハウジング１６は、ベースハウジング１５に対して、外部端子挿入方向（外部端子１０１がハウジング部１１へ挿入される方向）に垂直な面に沿って、ベースハウジング１５の前方側に向かって、スライド移動するように、操作される。尚、図２５においては、スライドハウジング１６がベースハウジング１５に対してスライド移動するように操作される方向が、矢印Ｘ５で示されている。
【００９６】
スライドハウジング１６がスライド移動することで、複数のスライド部材１３もスライドハウジング１６とともに、ベースハウジング１５の前方側に向かってスライド移動する。このとき、スライド部材１３は、コネクタ端子部１２の本体部３３の内部にて本体部３３の内壁３３ｂと接点バネ部３７のスライド部材接触部４０との間において、スライド移動する。更に、スライド部材１３は、上記の外部端子挿入方向に垂直な面に沿って、ベースハウジング１５の前方側に向かって、接点バネ部３７のスライド部材接触部４０に対してスライド移動する。即ち、スライド部材１３は、本体部３３から片持ち状に延びる接点バネ部３７に対して、屈曲部３９から先端側に向かう方向に沿ってスライド移動する。これにより、スライド部材１３は、接点バネ部３７を外部端子１０１に向かって押し付けるように撓ませる（図２６及び図２７を参照）。
【００９７】
尚、接点バネ部３７のスライド部材接触部４０は、スライド部材１３の上記のスライド動作の前の状態において、本体部３３の内壁３３ｂとの隙間を狭めるように延びた部分を有している（図２４を参照）。このため、スライド部材１３が、ベースハウジング１５の前方側に向かって、接点バネ部３７のスライド部材接触部４０に対してスライド移動することで、接点バネ部３７が外部端子１０１に向かって押し付けられるように撓むことになる。
【００９８】
スライドハウジング１６のベースハウジング１５に対する上記のスライド移動動作が終了すると、コネクタ１と複数の外部端子１０１との接続動作が完了する。即ち、コネクタ１を介した基板１００と複数の外部端子１０１との接続動作が完了する。図２５乃至図２８に示すように、コネクタ１と複数の外部端子１０１との接続動作が完了した状態では、スライド部材１３によって接点バネ部３７が外部端子１０１に強固に押し付けられているため、コネクタ１と外部端子１０１との間における確実な電気的接続状態が確保される。
【００９９】
尚、スライドハウジング１６のベースハウジング１５に対する上記のスライド移動動作が行われる際には、スライドハウジング１６のロックアーム部３２が、ベースハウジング１５の一対のロック凸部２７と当接し、一旦撓むように弾性変形する。そして、ロックアーム部３２は、一対のロック凸部２７を乗り越えた後、弾性回復し、一対のロック凸部２７と係合する。このため、コネクタ１と複数の外部端子１０１との接続動作が完了した状態では、図２８に示すように、スライドハウジング１６のロックアーム部３２が、ベースハウジング１５の一対のロック凸部２７と係合している。これにより、スライドハウジング１６がベースハウジング１５に対して後方側へ移動して上記のスライド移動動作の前の状態に戻ってしまうことが防止される。
【０１００】
コネクタ１と複数の外部端子１０１との接続を解除する場合は、スライドハウジング１６のロックアーム部３２を作業者が操作して撓ませ、ロックアーム部３２と一対のロック凸部２７との係合を解除する。この状態で、スライドハウジング１６が、ベースハウジング１５に対して後方側へスライド移動するように、操作される。これにより、スライド部材１３によって接点バネ部３７が外部端子１０１に強固に押し付けられた状態が解除される。そして、スライド部材１３による接点バネ部３７の押し付けが解除された状態で、複数の外部端子１０１がコネクタ１から引き出される。これにより、コネクタ１と複数の外部端子１０１との接続が解除される。
【０１０１】
［本実施形態の作用及び効果］
本実施形態によると、コネクタ端子部１２の接点バネ部３７は、外部端子１０１が基板１００を貫通してハウジング部１１へ挿入される方向である外部端子挿入方向に垂直な面に沿って、片持ち状に延びるように設けられている。このため、コネクタ端子部１２の接点バネ部３７が、外部端子挿入方向に沿って外部端子挿入方向と平行に片持ち状に延びる構造となることがない。
【０１０２】
上記の構成により、外部端子１０１が基板１００を貫通してハウジング部１１へ挿入される方向である外部端子挿入方向に沿った方向におけるコネクタ端子部１２の寸法を小さくすることができ、コネクタ端子部１２の高さを低くすることができる。そして、コネクタ端子部１２の高さを低くすることができため、コネクタ端子部１２を保持するハウジング部１１の高さも低くすることができる。これにより、基板１００に設置された状態でのコネクタ１の基板１００からの高さを低くすることができる。
【０１０３】
従って、本実施形態によると、基板１００に設置されて基板１００と基板１００を貫通する外部端子１０１とを接続するコネクタ１において基板１００に設置された状態での基板１００からの高さを低くすることができる。
【０１０４】
また、本実施形態によると、スライド部材１３が接点バネ部３７に接触した状態で接点バネ部３７に対してスライド移動することで、接点バネ部３７が外部端子１０１に向かって押し付けられるように撓む。このため、スライド部材１３のスライド移動動作によって、容易に、コネクタ端子部１２と外部端子１０１との十分な接触圧力を確保することができる。
【０１０５】
そして、本実施形態によると、スライド部材１３は、外部端子挿入方向に垂直な面に沿って、接点バネ部３７に対してスライド移動するように設けられている。このため、コネクタ端子部１２と外部端子１０１との接触圧力の確保のためにスライド部材１３をスライド移動させる際に、スライド部材１３からコネクタ端子部１２及びハウジング部１１に対して、外部端子挿入方向に大きな力が作用してしまうことを抑制することができる。よって、スライド部材１３のスライド移動動作時に、基板１００に対して、基板１００に垂直な方向に大きな外力が作用してしまうことを抑制することができる。これにより、スライド部材１３のスライド移動動作時に、基板１００の歪が生じてしまうことを抑制できる。そして、基板１００においてコネクタ１の近傍に他の電子部品等が設置されている場合であっても、基板１００の歪が生じることによって他の電子部品等の破損が生じてしまうことを、抑制することができる。
【０１０６】
また、本実施形態によると、スライドハウジング１６をベースハウジング１５に対してスライド移動させることで、複数のコネクタ端子部１２に対して、複数のスライド部材１３を同時タイミングでスライド移動させることができる。よって、本実施形態によると、複数のコネクタ端子部１２と複数の外部端子１０１との接触圧力の確保のために複数のスライド部材１３をスライド移動させる動作を容易且つ速やかに行うことができる。
【０１０７】
また、本実施形態によると、接点バネ部３７の根本側に接点部３８が設けられ、スライド部材１３が接点バネ部３７に対して接点バネ部３７における屈曲部３９よりも先端側で接触する。このため、接点バネ部３７は、接点バネ部３７の根本側で外部端子１０１に安定して接触した状態で、接点バネ部３７の屈曲部３９よりも先端側にてスライド部材１３によって外部端子１０１に向かって押し付けられる。よって、コネクタ端子部１２と外部端子１０１との安定した接触状態を確保しつつコネクタ端子部１２と外部端子１０１との十分な接触圧力を容易に確保することができる。
【０１０８】
また、本実施形態によると、スライド部材１３が接点バネ部３７の屈曲部３９から先端側に向かう方向に沿ってスライド移動することで、接点バネ部３７が外部端子１０１に向かって押し付けられる。このため、スライド部材１３をより円滑にスライド移動させることができる。よって、コネクタ端子部１２と外部端子１０１との安定した接触状態を確保しつつコネクタ端子部１２と外部端子１０１との十分な接触圧力を更に容易に確保することができる。
【０１０９】
［変形例］
以上、本発明の実施形態について説明したが、本発明は上述の実施の形態に限られるものではなく、特許請求の範囲に記載した限りにおいて様々な変更が可能なものである。例えば、次のように変更して実施してもよい。
【０１１０】
（１）前述の実施形態では、コネクタ端子部が基板の表面に実装される基板実装部を有している形態を例にとって説明したが、この通りでなくてもよい。例えば、基板のスルーホールに対して挿入されてはんだ付けされることで基板に接続される基板接続部を有するコネクタ端子部を備えたコネクタの形態が実施されてもよい。
【０１１１】
（２）前述の実施形態では、スライド部材を備えるコネクタの形態を例にとって説明したが、この通りでなくてもよい。スライド部材が備えられていないコネクタの形態が実施されてもよい。また、前述の実施形態では、ハウジング部が、スライドハウジングを備える形態を例にとって説明したが、この通りでなくてもよい。スライドハウジングが備えられていないハウジング部を有するコネクタの形態が実施されてもよい。
【０１１２】
（３）前述の実施形態では、接点バネ部が本体部から外部端子挿入方向に垂直な面に沿って片持ち状に延びるように設けられたコネクタ端子部の形態を例にとって説明したが、この通りでなくてもよい。例えば、図２９乃至図３１に示すような変形例が実施されてもよい。
【０１１３】
図２９は、変形例に係るコネクタのコネクタ端子部４５の斜視図である。図３０は、コネクタ端子部４５を示す図であって、図３０（Ａ）は、平面図（上面図）であり、図３０（Ｂ）は、正面図であり、図３０（Ｃ）は、側面図であり、図３０（Ｄ）は、底面図である。図３１は、コネクタ端子部４５を示す図であって、図３１（Ａ）及び図３１（Ｂ）は、一部を切り欠き断面の状態で示す斜視図であり、図３１（Ｃ）は、図３１（Ａ）の側面図である。尚、以下の変形例についての説明においては、前述の実施形態と同様に構成される要素及び前述の実施形態と対応して構成される要素については、図面において同一の符号を付すことで、或いは同一の符号を引用することで、説明を省略する。
【０１１４】
図２９乃至図３１に示す変形例に係るコネクタ端子部４５を有する変形例に係るコネクタは、基板１００に設置されて基板１００と基板１００を貫通する複数の外部端子１０１とを接続するコネクタとして構成されている。そして、この変形例に係るコネクタは、複数のコネクタ端子部４５と、前述の実施形態のコネクタ１におけるハウジング部１１、複数のスライド部材１３、及び一対の補強タブ１４と、を備えて構成されている。即ち、変形例に係るコネクタは、コネクタ端子部４５以外の要素が、前述の実施形態のコネクタ１と同様に構成されている。
【０１１５】
図２９乃至図３１に示すコネクタ端子部４５は、導電性を有する金属材料により形成されており、基板１００と外部端子１０１とを電気的に接続する要素として設けられている。コネクタ端子部４５は、本体部３３、基板実装部３４、圧入部３５、連結バネ部３６、接点部４７を含む接点バネ部４６、を備えて構成されている。本体部３３、基板実装部３４、圧入部３５、連結バネ部３６、接点バネ部４６は、一体に設けられている。コネクタ端子部４５は、接点バネ部４６の構成を除き、前述の実施形態のコネクタ端子部１２と同様に構成されている。即ち、コネクタ端子部４５と、前述の実施形態のコネクタ端子部１２とは、接点バネ部４６の構成と、接点バネ部３７の構成とにおいて、異なっている。
【０１１６】
接点バネ部４６は、接点部４７を含むとともに弾性変形して撓んだ状態で外部端子１０１に接触することが可能に構成された板バネ状の部分として設けられている。また、接点バネ部４６は、本体部３３の内側で本体部３３に一体に設けられ、本体部３３に対して片持ち状に支持されている。即ち、接点バネ部４６は、本体部３３の内側において、本体部３３から片持ち状に延びるように構成されている。そして、接点バネ部４６は、接点部４７、屈曲部４８、及びスライド部材接触部４９を備えている。
【０１１７】
接点部４７は、ハウジング部１１のベースハウジング１５に外部端子挿入孔２５から挿入される外部端子１０１に接触して外部端子１０１に電気的に接続される板バネ状の部分として設けられている。本変形例では、接点部４７は、本体部３３から片持ち状に真っ直ぐに延びるように設けられている。また、接点部４７は、本体部３３から、外部端子１０１がハウジング部１１へ挿入される方向である外部端子挿入方向に斜めの面に沿って、片持ち状に延びるように設けられている。
【０１１８】
屈曲部４８は、本体部３３から片持ち状に延びる接点部４７の端部に設けられ、接点部４７と一体に設けられている。即ち、屈曲部４８は、接点部４７における本体部３３側とは反対側の端部において接点部４７と一体に設けられている。このため、接点部４７は、本体部３３から片持ち状に延びる接点バネ部４６において、屈曲部４８よりも根本側に設けられている。即ち、接点部４７は、本体部３３から片持ち状に延びる接点バネ部４６において、屈曲部４８よりも本体部３３側の部分として設けられている。また、屈曲部４８は、本体部３３から、外部端子１０１がハウジング部１１へ挿入される方向である外部端子挿入方向に斜めの面に沿って、屈曲して延びる部分として設けられている。
【０１１９】
スライド部材接触部４９は、スライド部材１３に接触する部分として設けられている。本変形例では、スライド部材接触部４９は、本体部３３から片持ち状に延びる接点バネ部４６において、屈曲部４８よりも先端側の部分として設けられている。即ち、スライド部材接触部４９は、本体部３３から片持ち状に延びる接点バネ部４６において、屈曲部４８を挟んで接点部４７と反対側の部分として設けられている。そして、スライド部材接触部４９は、本体部３３から片持ち状に延びる接点バネ部４６における屈曲部４８よりも先端側において、外部端子１０１がハウジング部１１へ挿入される方向である外部端子挿入方向に斜めの面に沿って延びるように設けられている。
【０１２０】
接点バネ部４６は、上述の通り、本体部３３から、接点部４７、屈曲部４８、及びスライド部材接触部４９の順番で、片持ち状に延びるように設けられている。そして、接点部４７、屈曲部４８、及びスライド部材接触部４９は、外部端子１０１がハウジング部１１へ挿入される方向である外部端子挿入方向に斜めの面に沿って延びるように設けられている。このため、接点バネ部４６は、本体部３３から、上記の外部端子挿入方向に斜めの面（即ち、外部端子挿入方向に対して斜めに交わる面）に沿って、片持ち状に延びるように設けられている。また、これにより、変形例に係るコネクタが基板１００に設置された状態で、接点バネ部４６は、本体部３３から、基板１００の表面と平行な面に対して斜めの面（即ち、法線方向が、基板１００の表面の法線方向に対して斜めに傾いた面）に沿って、片持ち状に延びるように設けられている。尚、本変形例では、基板１００の表面の法線方向と、本体部３３から片持ち状に延びる接点バネ部４６が配置される上記の斜めの面の法線方向と、が成す角であって鋭角側の角が、例えば略３０度であって、４５度未満である形態を例示している。
【０１２１】
尚、変形例に係るコネクタ端子部４５を有する変形例に係るコネクタにおいても、スライド部材１３は、前述の実施形態のスライド部材１３と同様に構成されている。即ち、変形例に係るコネクタにおいても、スライド部材１３は、外部端子挿入方向に垂直な面に沿って、接点バネ部４６に対してスライド移動することで、接点バネ部４６を外部端子１０１に向かって押し付けるように撓ませるように構成されている。
【０１２２】
本変形例によると、コネクタ端子部４５の接点バネ部４６は、外部端子１０１が基板１００を貫通してハウジング部１１へ挿入される方向である外部端子挿入方向に斜めの面に沿って、片持ち状に延びるように設けられている。このため、コネクタ端子部４５の接点バネ部４６が、外部端子挿入方向に沿って外部端子挿入方向と平行に片持ち状に延びる構造となることがない。
【０１２３】
上記の構成により、外部端子１０１が基板１００を貫通してハウジング部１１へ挿入される方向である外部端子挿入方向に沿った方向におけるコネクタ端子部４５の寸法を小さくすることができ、コネクタ端子部４５の高さを低くすることができる。そして、コネクタ端子部４５の高さを低くすることができため、コネクタ端子部４５を保持するハウジング部１１の高さも低くすることができる。これにより、基板１００に設置された状態でのコネクタの基板１００からの高さを低くすることができる。
【０１２４】
従って、本変形例によると、基板１００に設置されて基板１００と基板１００を貫通する外部端子１０１とを接続するコネクタにおいて基板１００に設置された状態での基板１００からの高さを低くすることができる。
【０１２５】
尚、本変形例では、基板１００の表面の法線方向と、本体部３３から片持ち状に延びる接点バネ部４６が配置される前述の斜めの面の法線方向と、が成す角であって鋭角側の角が、４５度未満であるため、本変形例に係るコネクタが基板１００に設置された状態での基板１００からの高さをより効率よく低くすることができる。
【産業上の利用可能性】
【０１２６】
本発明は、基板と外部端子とを接続するコネクタ、及びそのコネクタを備えるコネクタ付基板として、広く適用することができるものである。
【符号の説明】
【０１２７】
１              コネクタ
１１            ハウジング部
１２            コネクタ端子部
３３            本体部
３７            接点バネ部
３８            接点部
１００          基板
１０１          外部端子
【図１】
2019021542.tif 000003
【図２】
2019021542.tif 000004
【図３】
2019021542.tif 000005
【図４】
2019021542.tif 000006
【図５】
2019021542.tif 000007
【図６】
2019021542.tif 000008
【図７】
2019021542.tif 000009
【図８】
2019021542.tif 000010
【図９】
2019021542.tif 000011
【図１０】
2019021542.tif 000012
【図１１】
2019021542.tif 000013
【図１２】
2019021542.tif 000014
【図１３】
2019021542.tif 000015
【図１４】
2019021542.tif 000016
【図１５】
2019021542.tif 000017
【図１６】
2019021542.tif 000018
【図１７】
2019021542.tif 000019
【図１８】
2019021542.tif 000020
【図１９】
2019021542.tif 000021
【図２０】
2019021542.tif 000022
【図２１】
2019021542.tif 000023
【図２２】
2019021542.tif 000024
【図２３】
2019021542.tif 000025
【図２４】
2019021542.tif 000026
【図２５】
2019021542.tif 000027
【図２６】
2019021542.tif 000028
【図２７】
2019021542.tif 000029
【図２８】
2019021542.tif 000030
【図２９】
2019021542.tif 000031
【図３０】
2019021542.tif 000032
【図３１】
2019021542.tif 000033